(57)【要約】      （修正有）【課題】オーバーフロー流路の排水と排水栓部との合流部で発生する排水の乱流を低減させ、オーバーフロー流路の排水を円滑に排水栓側へ排水させる、オーバーフロー装置を提供する。【解決手段】底部に排水口２、側壁にオーバーフロー孔３をそれぞれ開口した槽体１と、側面に排水窓４１を開口した円筒状の排水栓４と、槽体１からの溢れ水を下水管へと排水するオーバーフロー流路５、排水栓４と同軸に外嵌されるオーバーフロー流路５からの排水と排水口２からの排水とを合流させる合流部６とで構成されるオーバーフロー装置において、合流部６の流入口６１を、合流部６の平面視中心軸から偏芯て構成した。【選択図】図５
2010001676.tif 000002
【特許請求の範囲】
【請求項１】
箱体形状であって、底部に排水口２、側壁にオーバーフロー孔３をそれぞれ開口した槽体１と、
前記排水口２に取り付けられる、側面に排水窓４１を開口した円筒状の排水栓４と、
槽体１からの溢れ水を下水管へと排水する前記オーバーフロー孔３に連接されるオーバーフロー流路５と、
円筒状であって、前記排水栓４と同軸に外周に設けられ、前記オーバーフロー流路５からの排水を内部に流入させる流入口６１を構成して、オーバーフロー流路５からの排水と排水口２からの排水とを合流させる合流部６と、
から構成されるオーバーフロー装置であって、
前記合流部６の流入口６１を、合流部６の平面視中心軸から偏芯させて構成したことを特徴とするオーバーフロー装置。
【請求項２】
箱体形状であって、底部に排水口２、側壁にオーバーフロー孔３をそれぞれ開口した槽体１と、
前記排水口２に取り付けられる、側面に排水窓４１を開口した円筒状の排水栓４と、
前記オーバーフロー孔３に連接されるオーバーフロー流路５と、
円筒状であって、前記排水栓４と同軸に外周に設けられ、前記オーバーフロー流路５からの排水を内部に流入させる流入口６１を構成して、オーバーフロー流路５からの排水と排水口２からの排水とを合流させる合流部６と、
から構成されるオーバーフロー装置であって、
前記オーバーフロー流路５を、オーバーフローエルボ５１及びオーバーフローエルボ５１から合流部６の流入口６１までを連結した管体５６から構成し、
当該オーバーフローエルボ５１の底面を、オーバーフローエルボ５１内周面からオーバーフローエルボ５１の排出口５４まで傾斜する、テーパ面５５により構成したことを特徴とするオーバーフロー装置。
【請求項３】
前記オーバーフロー流路５を、オーバーフローエルボ５１及びオーバーフローエルボ５１から合流部６の流入口６１までを連結した管体５６から構成し、当該オーバーフローエルボ５１の底面を、オーバーフロー内周面からオーバーフローエルボ５１の排出口５４まで傾斜する、テーパ面５５により構成したことを特徴とする前記請求項１に記載のオーバーフロー装置。
【請求項４】
前記合流部６及びオーバーフロー流路５を、槽体１と一体的に構成したことを特徴とする前記請求項１乃至請求項３のいずれか一つに記載のオーバーフロー装置。
【請求項５】
前記合流部６を、槽体１とは別体のアダプター６としたことを特徴とする前記請求項１乃至請求項３のいずれか一つに記載のオーバーフロー装置。
【請求項６】
オーバーフロー流路５からの排水の流れを流入口６１側に侵入させないよう堰き止める、合流部６の内周面から内方向に向けて突出させて整流板６２を構成したことを特徴とする前記請求項１又は請求項３乃至請求項５のいずれか一つに記載のオーバーフロー装置。
【請求項７】
前記排水栓４の排水窓４１を、平面視中心軸方向に向かって渦巻き状に傾斜面４３を構成したことを特徴とする前記請求項１乃至請求項６のいずれか一つに記載のオーバーフロー装置。
【請求項８】
前記排水栓４の排水窓４１を、平面視中心軸方向に平行に開口して構成していることを特徴とする前記請求項１乃至請求項６のいずれか一つに記載のオーバーフロー装置。
【発明の詳細な説明】
【技術分野】
【０００１】
本発明は、洗面ボウルや流し台、浴槽などの槽体において、槽体内から水が溢れ出ないように溢れ水を下水へと排水するオーバーフロー装置に関するものである。
【背景技術】
【０００２】
従来よく知られたオーバーフロー装置としては、例えば図１２、図１３に図示したオーバーフロー装置がある。以下に図１２、図１３に図示したオーバーフロー装置の従来例を、図面を参照しつつ説明する。
図１２、図１３の従来例のオーバーフロー装置は、洗面台の槽体に用いられるものである。
この従来例は、槽体としての洗面ボウルと、排水栓と、オーバーフロー流路と、合流部としてのアダプターと、排水トラップと、から構成される。
洗面ボウルは、箱体形状で、底部に排水口、側面にオーバーフロー孔を開口してなり、洗面ボウル内の排水は排水口から排水し、洗面ボウル内から溢れ出る溢れ水はオーバーフロー孔から排水する。
排水栓は、排水口に取り付けられる部材であって、上端に外側方向に飛び出すフランジを構成した円筒状の部材であって、下部には後記する排水トラップが接続される雄ねじを刻設している。また、排水栓側面には排水窓が開口して構成される。
排水窓は、排水栓の外周に開口された穴であって、オーバーフロー流路からの排水を、排水栓内に排水させるための開口である。
オーバーフロー流路は、オーバーフローエルボと、管体と、から構成される、槽体のオーバーフロー孔からの溢れ水を、排水口側の排水へと排出する部材である。
オーバーフローエルボは、図１３に示すように槽体のオーバーフロー孔の裏面から取り付けられ、内部に排水が通過する部材である。また、オーバーフロー孔に取り付けられる面が開口されたケーシングであって、フラットに構成された底面に排出口を開口し、当該排出口には管体が接続される。
管体は、一端をオーバーフローエルボに取り付けるホースなどの管体であり、他端を後記するアダプターの流入口に接続して、オーバーフロー孔からの排水をアダプターへと排水する。
アダプターは、図１２に示すように、円筒状であって、洗面ボウルの排水口裏面から、排水栓と同軸に外周に外嵌するように設けられて配置される。また、オーバーフロー流路からの排水を内部に流入させる流入口を、アダプターの平面視中心軸と同軸に構成する。そして、当該流入口にはオーバーフロー流路の管体が接続され、オーバーフロー孔からの排水と、排水口からの排水とを合流させる部材である。
排水トラップは、内部に封水を貯水して、下水からの臭気や害虫を室内側へ逆流することを防止する部材で、前記排水栓の下端に接続され、管体などを介して最終的には下水管へと排水する。
【０００３】
上記の構成の従来のオーバーフロー装置は以下のように配置・施工される。
洗面ボウルの排水口に、上方から排水栓を通過させ、排水口に排水栓のフランジを係止させる。また、洗面ボウルのオーバーフロー孔に、洗面ボウルの裏面からオーバーフローエルボをビスなどで取付ける。尚、オーバーフローエルボと管体、及び管体とアダプターの流入口は予め工場などで接着もしくは接続されているものとする。そして、洗面ボウルの裏面から、洗面ボウルの形状に合わせた水密部材を介してアダプターを排水栓と同軸にしつつ排水栓の外周に配置する。そして洗面ボウル裏面から排水栓に三角パッキンを挿入し、排水栓下端の雄ねじにフランジナットを締め付けてゆく。そうすると、排水栓のフランジと、フランジナットによって洗面ボウルの排水口を挟持し、アダプターが排水栓の外周かつ同軸に配置・取付される。その後、排水栓下端の雄ねじに排水トラップを接続させ、排水トラップを管体などで下水管まで配管させることで、オーバーフロー装置の配置・施工は完成する。
【０００４】
前記した従来例のオーバーフロー装置は、以下のように排水される。
洗面ボウルの排水口から排水された排水は、排水栓内を通過し、排水トラップを介して最終的には下水管へと排水される。
また、洗面ボウルのオーバーフロー孔から排水された排水は、オーバーフロー流路であるオーバーフローエルボと管体を介してアダプターの流入口からアダプター内に排水される。アダプター内の排水は、アダプター内部に配置される排水栓の排水窓から排水栓内に排水される。そして、合流した排水は、排水栓から排水トラップを介して最終的には下水管へと排出される。
【０００５】
【特許文献１】特開２００１−２１４４８８号公報
【特許文献２】特開２００２−１５５５６２号公報
【発明の開示】
【発明が解決しようとする課題】
【０００６】
従来例のようなオーバーフロー装置は、以下のような問題点があった。
従来のオーバーフロー装置は、オーバーフローエルボのケーシング底面がフラット形状であった。従って、オーバーフロー孔からの排水が一旦オーバーフローエルボ内で貯水されてから排出口に排水されていたため、オーバーフローエルボ内で排水の乱流が発生し、水の流れに抵抗が加わって、オーバーフロー流路の排水性能が非常に悪かった。
従来のオーバーフロー装置では、アダプターの流入口が、アダプターの平面視中心軸と同軸に構成しているため、流入口から流入した排水が、アダプターと同軸に配置されている排水栓に衝突して排水の乱流が発生し、水の流れに抵抗が生じて、オーバーフロー流路の排水性能が非常に悪かった。
また、アダプターは使用者は通常取り外し出来ないので、アダプター内部を掃除することが不可能であった。従って、アダプター内部に排水の汚れが付着することにより悪臭やごみづまりの発生原因となっていた。
【０００７】
従って、本発明のオーバーフロー装置は、以下の課題を解決するために発明された。
１．合流部内で発生する排水の乱流を低減させ、オーバーフロー流路の排水を円滑に排水栓側へ排水させて、オーバーフロー装置の排水性能を向上させる。
２．合流部内に自浄作用を付与させる。
３．オーバーフローエルボ内で発生する排水の乱流を低減させ、オーバーフロー流路の排水を円滑に管体へ排水させて、オーバーフロー装置の排水性能を向上させる。
【課題を解決するための手段】
【０００８】
請求項１のオーバーフロー装置は、箱体形状であって、底部に排水口２、側壁にオーバーフロー孔３をそれぞれ開口した槽体１と、前記排水口２に取り付けられる、側面に排水窓４１を開口した円筒状の排水栓４と、槽体１からの溢れ水を下水管へと排水する前記オーバーフロー孔３に連接されるオーバーフロー流路５と、円筒状であって、前記排水栓４と同軸に外周に設けられ、前記オーバーフロー流路５からの排水を内部に流入させる流入口６１を構成して、オーバーフロー流路５からの排水と排水口２からの排水とを合流させる合流部６と、から構成されるオーバーフロー装置であって、前記合流部６の流入口６１を、合流部６の平面視中心軸から偏芯させて構成したことを特徴とするオーバーフロー装置である。
【０００９】
請求項２のオーバーフロー装置は、箱体形状であって、底部に排水口２、側壁にオーバーフロー孔３をそれぞれ開口した槽体１と、前記排水口２に取り付けられる、側面に排水窓４１を開口した円筒状の排水栓４と、前記オーバーフロー孔３に連接されるオーバーフロー流路５と、円筒状であって、前記排水栓４と同軸に外周に設けられ、前記オーバーフロー流路５からの排水を内部に流入させる流入口６１を構成して、オーバーフロー流路５からの排水と排水口２からの排水とを合流させる合流部６と、から構成されるオーバーフロー装置であって、前記オーバーフロー流路５を、オーバーフローエルボ５１及びオーバーフローエルボ５１から合流部６の流入口６１までを連結した管体５６から構成し、当該オーバーフローエルボ５１の底面を、オーバーフローエルボ５１内周面からオーバーフローエルボ５１の排出口５４まで傾斜する、テーパ面５５により構成したことを特徴とするオーバーフロー装置である。
【００１０】
請求項３のオーバーフロー装置は、前記オーバーフロー流路５を、オーバーフローエルボ５１及びオーバーフローエルボ５１から合流部６の流入口６１までを連結した管体５６から構成し、当該オーバーフローエルボ５１の底面を、オーバーフロー内周面からオーバーフローエルボ５１の排出口５４まで傾斜する、テーパ面５５により構成したことを特徴とする前記段落０００８に記載のオーバーフロー装置である。
【００１１】
請求項４のオーバーフロー装置は、前記合流部６及びオーバーフロー流路５を、槽体１と一体的に構成したことを特徴とする前記段落０００８乃至段落００１０のいずれか一つに記載のオーバーフロー装置である。
【００１２】
請求項５のオーバーフロー装置は、前記合流部６を、槽体１とは別体のアダプター６としたことを特徴とする前記段落０００８乃至段落００１０のいずれか一つに記載のオーバーフロー装置である。
【００１３】
請求項６に記載のオーバーフロー装置は、オーバーフロー流路５からの排水の流れを流入口６１側に侵入させないよう堰き止める、合流部６の内周面から内方向に向けて突出させて整流板６２を構成したことを特徴とする前記段落０００８又は段落００１０乃至段落００１２のいずれか一つに記載のオーバーフロー装置である。
【００１４】
請求項７に記載のオーバーフロー装置は、前記排水栓４の排水窓４１を、平面視中心軸方向に向かって渦巻き状に傾斜面４３を構成したことを特徴とする前記段落０００８乃至段落００１３のいずれか一つに記載のオーバーフロー装置である。
【００１５】
請求項８に記載のオーバーフロー装置は、前記排水栓４の排水窓４１を、平面視中心軸方向に平行に開口して構成していることを特徴とする前記段落０００８乃至段落００１３のいずれか一つに記載のオーバーフロー装置である。
【発明の効果】
【００１６】
本発明のオーバーフロー装置は、以下の効果を奏する。
請求項１に記載の本発明は、合流部６の流入口６１を、合流部６の平面視中心軸から偏芯させて構成したことから、流入口６１から合流部６内に流入した排水が、合流部６内周と排水栓４外周に沿うように渦流を発生させることが出来た。従って、排水栓４に排水が衝突などすることなく、排水は合流部６内周と排水栓４外周で渦を巻きながら排水窓４１から排水栓４内に円滑に流入させることができるようになった。したがって、合流部６内で乱流などが発生せず、オーバーフロー装置の排水性能が向上した。また、合流部６内で排水の渦流が発生するので、合流部６内を排水により自浄することが可能となった為、内部を清掃しなくてもよくなる上に、悪臭の発生などを効果的に防止することが出来るようになった。
請求項２に記載の本発明は、オーバーフローエルボ５１の底面を、オーバーフローエルボ５１内周面からオーバーフローエルボ５１の排出口５４まで傾斜する、テーパ面５５により構成したことから、オーバーフローエルボ５１内で底面に衝突することなく、円滑にテーパ面５５に沿うように排出口５４から排水されるようになった。したがって、オーバーフローエルボ５１内で乱流が発生することがなく、オーバーフロー装置の排水性能が向上した。
請求項３に記載の本発明は、合流部６内で乱流などが発生することがなく、更にはオーバーフローエルボ５１内で乱流が発生することがないため、オーバーフロー装置の排水性能が格段に向上した。
請求項４に記載の本発明は、槽体１と一体的に構成したことから、洗面ボウル１の多様性に適合できるようになった。
請求項５に記載の本発明は、槽体１と別体のアダプター６としたことから、洗面ボウル１の多様性に適合できるようになった。
請求項６に記載の本発明は、オーバーフロー流路５からの排水の流れを流入口６１側に侵入させないよう堰き止める、合流部６の内周面から内方向に向けて突出させて整流板６２を構成したことから、合流部６内で発生した渦流が、排水栓４を一回転して流入口６１側へ再侵入することを防ぐ。渦流が一回転して流入口６１側へ侵入すると、流入口６１から流入するオーバーフロー流路５の排水と、一回転した渦流が衝突し、その箇所で排水の乱流が発生してしまう。従って、合流部６内で乱流などが発生することがなく、オーバーフロー装置の排水性能が向上した。
請求項７に記載の本発明は、排水栓４の排水窓４１を、平面視中心軸方向に向かって渦巻き状に傾斜面４３を構成したことから、合流部６内の渦流が、排水栓４外周を回転しつつ円滑に排水窓４１に構成された傾斜面４３により排水栓４内に流入することが出来る。従って、合流部６内で乱流などが発生することがなく、オーバーフロー装置の排水性能が向上した。
請求項８に記載の本発明は、前記排水栓４の排水窓４１を、平面視中心軸方向に平行に開口して構成したことから、合流部６内で付与された渦流が、排水栓４外周を回転しつつ円滑に平行に開口された排水窓４１に衝突することなく排水栓４内に流入することが出来る。従って、合流部６内で乱流などが発生することがなく、オーバーフロー装置の排水性能が向上した。
【実施例】
【００１７】
以下に本発明の実施例を、図面を参照しつつ説明する。
以下に図１乃至図７、図９乃至図１１に図示したオーバーフロー装置の実施例を、図面を参照しつつ説明する。
図１乃至図７、図９乃至図１１に示したオーバーフロー装置は、洗面台の槽体１に用いられるものである。
本実施例は、槽体１としての洗面ボウル１と、排水栓４と、オーバーフロー流路５と、合流部６としてのアダプター６と、排水トラップ７と、から構成される。
洗面ボウル１は、箱体形状で、底部に排水口２、側面にオーバーフロー孔３を開口してなり、洗面ボウル１内の排水は排水口２から排水し、洗面ボウル１内から溢れ出る溢れ水はオーバーフロー孔３から排水する。
排水栓４は、排水口２に取り付けられる部材であって、上端に外側方向に飛び出すフランジ４２を構成した円筒状の部材であって、下部には後記する排水トラップ７が接続される。また、排水栓４側面には排水窓４１が開口して構成される。
排水窓４１は、排水栓４に開口された穴であって、オーバーフロー流路５からの排水を、排水栓４内に流入させるための開口である。図７に示すように、排水窓４１は、平面視中心軸方向に向かって渦巻き状に傾斜面４３を構成し開口している。
オーバーフロー流路５は、オーバーフローエルボ５１と、管体５６と、から構成される、洗面ボウル１のオーバーフロー孔３からの溢れ水を、排水口２側へと排出する部材である。
オーバーフローエルボ５１は、図９乃至図１１に示したように、洗面ボウル１のオーバーフロー孔３の裏面に取り付けられてその内部に排水が通過する部材である。そして、オーバーフローエルボ５１は、本実施例では上部５２と下部５３の２パーツに分割して構成される。上部５２はオーバーフロー孔３に取り付けられる孔が開口され、下部５３はオーバーフローエルボ５１内部の排水を管体５６へ排出する排出口５４が開口されている。また当該排出口５４には管体５６が接続される。オーバーフローエルボ５１の下部５３には、オーバーフローエルボ５１内周面の側壁からオーバーフローエルボ５１の排出口５４まで傾斜する、テーパ面５５が構成されている。本実施例ではオーバーフローエルボ５１の内壁から排出口５４まで内方向に縮径するようにテーパ面５５が構成されている。
管体５６は、一端をオーバーフローエルボ５１の排出口５４に接続するホースであり、他端を後記するアダプター６の流入口６１に接続して、オーバーフロー孔３からの排水をアダプター６へと排水する。
アダプター６は、図１乃至図４に示すように、円筒状であって、排水栓４と同軸且つ排水栓４の外周に外嵌するように設けられて配置される。また、図２（ａ）に示すように、オーバーフロー流路５からの排水をアダプター６内部に流入させる流入口６１を、アダプター６の平面視中心軸から偏芯させて構成されている。当該アダプター６は、図７の図示のように平面視渦巻きポンプの渦巻き室（スパイラルケーシング）状に構成されている。また、図３及び図４に示すように、アダプター６の流入口６１のサイドに、アダプター６内周面から内方向に向けて突出させた整流板６２を構成して、渦流を流入口６１側に侵入させないよう堰き止めるようにしている。この整流板６２は、施工時、排水栓４と当接するかしないか程度の高さまで突出して構成される。そして、流入口６１にはオーバーフロー流路５の管体５６が接続されているので、アダプター６内にはオーバーフロー孔３からの排水が流入する。
排水トラップ７は、内部に封水を貯水して、下水からの臭気や害虫を室内側へ逆流することを防止する部材で、前記排水栓４の下端に接続され、管体などを介して最終的には下水管へと排水する。
【００１８】
上記の構成のオーバーフロー装置は以下のように配置・施工される。
図５、図６に示すように、洗面ボウル１の排水口２に、上方から排水栓４を通過させ、排水口２に排水栓４のフランジ４２を係止させる。また、洗面ボウル１のオーバーフロー孔３に、洗面ボウル１の裏面からオーバーフローエルボ５１を取付パーツで取付ける。尚、オーバーフローエルボ５１と管体５６、及び管体５６とアダプター６の流入口６１は予め工場などで接着もしくは接続されているものとする。そして、洗面ボウル１の裏面から、洗面ボウル１の形状に合わせた水密部材を介してアダプター６を排水栓４と同軸にしつつ排水栓４の外周に配置する。そしてアダプター６下部に位置する箇所の排水栓４に三角パッキンを挿入させ、当該三角パッキンを介して排水栓４下端の雄ねじにフランジナットで締め付ける。そうすると、フランジナットとフランジ４２で洗面ボウル１の排水口２にアダプター６が挟持され、アダプター６が排水栓４の外周かつ同軸に配置・取付される。その後、排水栓４下端に排水トラップ７を接続させ、排水トラップ７を管体などで下水管まで配管させることで、オーバーフロー装置の配置・施工は完成する。
【００１９】
前記したオーバーフロー装置は、以下のように排水される。
洗面ボウル１の排水口２から排水された排水は、排水栓４内を通過し、排水トラップ７を介して最終的には下水管へと排水される。
また、洗面ボウル１のオーバーフロー孔３から排水された排水は、オーバーフロー流路５であるオーバーフローエルボ５１と管体５６を介してアダプター６の流入口６１からアダプター６内に排水される。また、図９（ｂ）の矢印は排水の流れを示す矢印であるが、この図９（ａ）の矢印に示したように、オーバーフローエルボ５１内の排水は、下部５３のテーパ面５５により、排水がオーバーフローエルボ５１の底面に衝突することなく排出口６１へ排水されるので、オーバーフローエルボ５１内で排水の乱流が発生することがない。従って、オーバーフロー装置の排水性能が格段に向上した。
アダプター６内に流入した排水は、アダプター６内部に配置される排水栓４の排水窓４１から排水栓４内に流入する。また、排水栓４内の排水は、排水トラップ７を介して最終的には下水管へと排出される。
このときのアダプター６内部の排水の流れとしては、アダプター６の流入口６１は平面視中心軸から偏芯して構成しているため、図７の矢印で示したように、流入口６１からの排水が、アダプター６の内周面と排水栓４の外周を沿うように渦流が発生し、排水栓４に衝突することもないので乱流が発生せず、円滑に排水窓４１から排水栓４内に排水が流入することができる。また、アダプター６には整流板６２が構成されているので、アダプター６内で発生した渦流が一回転して流入口６１側へ再流入することが防止されるので、流入口６１部分で流入口６１からの排水と、アダプター６内の渦流が緩衝することなく円滑に排水栓４内に排水される。また、排水栓４の排水窓４１を平面視中心軸方向に向かって渦巻き状に傾斜面４３を構成したことから、図７の矢印（図７中の矢印は排水のながれを示す）で示したように、アダプター６内で付与された渦流が、排水栓４外周を回転しつつ排水窓４１に衝突することなく排水窓４１の渦巻き状傾斜に沿うように排水栓４内に流入することが出来る。このような排水の流れとなることから、オーバーフロー流路５及びアダプター６内で排水の乱流を減らし、さらにはアダプター６内で渦流を発生させたことで、排水性能が格段に向上した。
【００２０】
また、本発明の実施例は上記に記載した実施例のほかにも、特許請求の範囲を逸脱しない範囲で適宜変更が可能である。
例えば前記実施例では、合流部６をアダプター６で別部材としているが、図示はしないが陶器製洗面ボウル１など、槽体１と一体的に構成しても問題はない。
【００２１】
また、前記実施例では、排水窓４１を、平面視中心軸方向に向かって渦巻き状に傾斜面４３を構成しているが、図８に示すように平面視中心軸方向に平行に開口しても問題はない。このような構成とすれば、排水窓４１の側壁に排水が衝突することなく渦流状の排水を排水栓４に沿うように排水窓４１から排水栓４内に流入させることができる。
【００２２】
また、上記実施例ではオーバーフローエルボ５１と合流部６を同時に採用しているが、単体で使用しても問題はない。
【図面の簡単な説明】
【００２３】
【図１】本発明の実施例を示す一部切り欠き斜視図である。
【図２】（ａ）本発明の合流部（アダプター）の平面図である。（ｂ）本発明の合流部（アダプター）を示す側面図である。
【図３】図２（ａ）のＡ−Ａ’断面斜視図である。
【図４】本発明の合流部（アダプター）の斜視図である。
【図５】本発明の施工状況を示す断面図である。
【図６】図５の部分拡大断面図である。
【図７】図６のＢ−Ｂ’断面図である。
【図８】別の実施例を示す、図６のＢ−Ｂ’断面図である。
【図９】（ａ）本発明のオーバーフロー流路付近を示す正面図である。（ｂ）本発明のオーバーフロー流路のＤ−Ｄ’断面図である。（ｃ）本発明のオーバーフロー流路を示すＣ−Ｃ’断面図である。
【図１０】本発明のオーバーフローエルボを示す斜視図である。
【図１１】本発明のオーバーフローエルボを示す一部切り欠き斜視図である。
【図１２】従来例の合流部を示す断面図である。
【図１３】従来例のオーバーフローエルボを示す断面図である。
【符号の説明】
【００２４】
１    洗面ボウル（槽体）
２    排水口
３    オーバーフロー孔
４    排水栓
４１  排水窓
４２  フランジ
４３  渦巻き状の傾斜面
５    オーバーフロー流路
５１  オーバーフローエルボ
５２  上部
５３  下部
５４  排出口
５５  テーパ面
５６  管体
６    アダプター（合流部）
６１  流入口
６２  整流板
７    排水トラップ
【図１】
2010001676.tif 000003
【図２】
2010001676.tif 000004
【図３】
2010001676.tif 000005
【図４】
2010001676.tif 000006
【図５】
2010001676.tif 000007
【図６】
2010001676.tif 000008
【図７】
2010001676.tif 000009
【図８】
2010001676.tif 000010
【図９】
2010001676.tif 000011
【図１０】
2010001676.tif 000012
【図１１】
2010001676.tif 000013
【図１２】
2010001676.tif 000014
【図１３】
2010001676.tif 000015
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
箱体形状であって、底部に排水口２、側壁にオーバーフロー孔３をそれぞれ開口した槽体１と、
前記排水口２に取り付けられる、側面に排水窓４１を開口した円筒状の排水栓４と、
槽体１からの溢れ水を下水管へと排水する前記オーバーフロー孔３に連接されるオーバーフロー流路５と、
円筒状であって、前記排水栓４と同軸に外周に設けられ、前記オーバーフロー流路５からの排水を内部に流入させる流入口６１を構成して、オーバーフロー流路５からの排水と排水口２からの排水とを合流させる合流部６と、
から構成されるオーバーフロー装置であって、
前記合流部６の流入口６１を、合流部６の平面視中心軸から偏芯させて構成すると共に、オーバーフロー流路５からの排水の流れを流入口６１側に侵入させないよう堰き止める、合流部６の内周面から内方向に向けて突出させて整流板６２を構成したことを特徴とするオーバーフロー装置。
【請求項２】
箱体形状であって、底部に排水口２、側壁にオーバーフロー孔３をそれぞれ開口した槽体１と、
前記排水口２に取り付けられる、側面に排水窓４１を開口した円筒状の排水栓４と、
前記オーバーフロー孔３に連接されるオーバーフロー流路５と、
円筒状であって、前記排水栓４と同軸に外周に設けられ、前記オーバーフロー流路５からの排水を内部に流入させる流入口６１を構成して、オーバーフロー流路５からの排水と排水口２からの排水とを合流させる合流部６と、
から構成されるオーバーフロー装置であって、
前記オーバーフロー流路５を、オーバーフローエルボ５１及びオーバーフローエルボ５１から合流部６の流入口６１までを連結した管体５６から構成し、
当該オーバーフローエルボ５１の底面を、オーバーフローエルボ５１内周面からオーバーフローエルボ５１の排出口５４まで傾斜する、テーパ面５５により構成したことを特徴とするオーバーフロー装置。
【請求項３】
前記オーバーフロー流路５を、オーバーフローエルボ５１及びオーバーフローエルボ５１から合流部６の流入口６１までを連結した管体５６から構成し、当該オーバーフローエルボ５１の底面を、オーバーフロー内周面からオーバーフローエルボ５１の排出口５４まで傾斜する、テーパ面５５により構成したことを特徴とする前記請求項１に記載のオーバーフロー装置。
【請求項４】
前記合流部６及びオーバーフロー流路５を、槽体１と一体的に構成したことを特徴とする前記請求項１乃至請求項３のいずれか一つに記載のオーバーフロー装置。
【請求項５】
前記合流部６を、槽体１とは別体のアダプター６としたことを特徴とする前記請求項１乃至請求項３のいずれか一つに記載のオーバーフロー装置。
【請求項６】
前記排水栓４の排水窓４１を、平面視中心軸方向に向かって渦巻き状に傾斜面４３を構成したことを特徴とする前記請求項１乃至請求項５のいずれか一つに記載のオーバーフロー装置。
【請求項７】
前記排水栓４の排水窓４１を、平面視中心軸方向に平行に開口して構成していることを特徴とする前記請求項１乃至請求項５のいずれか一つに記載のオーバーフロー装置。
【手続補正２】
【補正対象書類名】明細書
【補正対象項目名】０００８
【補正方法】変更
【補正の内容】
【０００８】
請求項１のオーバーフロー装置は、箱体形状であって、底部に排水口２、側壁にオーバーフロー孔３をそれぞれ開口した槽体１と、前記排水口２に取り付けられる、側面に排水窓４１を開口した円筒状の排水栓４と、槽体１からの溢れ水を下水管へと排水する前記オーバーフロー孔３に連接されるオーバーフロー流路５と、円筒状であって、前記排水栓４と同軸に外周に設けられ、前記オーバーフロー流路５からの排水を内部に流入させる流入口６１を構成して、オーバーフロー流路５からの排水と排水口２からの排水とを合流させる合流部６と、から構成されるオーバーフロー装置であって、前記合流部６の流入口６１を、合流部６の平面視中心軸から偏芯させて構成すると共に、オーバーフロー流路５からの排水の流れを流入口６１側に侵入させないよう堰き止める、合流部６の内周面から内方向に向けて突出させて整流板６２を構成したことを特徴とするオーバーフロー装置である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項６に記載のオーバーフロー装置は、前記排水栓４の排水窓４１を、平面視中心軸方向に向かって渦巻き状に傾斜面４３を構成したことを特徴とする前記段落０００８乃至段落００１２のいずれか一つに記載のオーバーフロー装置である。
【手続補正５】
【補正対象書類名】明細書
【補正対象項目名】００１５
【補正方法】変更
【補正の内容】
【００１５】
請求項７に記載のオーバーフロー装置は、前記排水栓４の排水窓４１を、平面視中心軸方向に平行に開口して構成していることを特徴とする前記段落０００８乃至段落００１２のいずれか一つに記載のオーバーフロー装置である。
【手続補正６】
【補正対象書類名】明細書
【補正対象項目名】００１６
【補正方法】変更
【補正の内容】
【００１６】
本発明のオーバーフロー装置は、以下の効果を奏する。
請求項１に記載の本発明は、合流部６の流入口６１を、合流部６の平面視中心軸から偏芯させて構成したことから、流入口６１から合流部６内に流入した排水が、合流部６内周と排水栓４外周に沿うように渦流を発生させることが出来た。従って、排水栓４に排水が衝突などすることなく、排水は合流部６内周と排水栓４外周で渦を巻きながら排水窓４１から排水栓４内に円滑に流入させることができるようになった。したがって、合流部６内で乱流などが発生せず、オーバーフロー装置の排水性能が向上した。また、合流部６内で排水の渦流が発生するので、合流部６内を排水により自浄することが可能となった為、内部を清掃しなくてもよくなる上に、悪臭の発生などを効果的に防止することが出来るようになった。また、オーバーフロー流路５からの排水の流れを流入口６１側に侵入させないよう堰き止める、合流部６の内周面から内方向に向けて突出させて整流板６２を構成したことから、合流部６内で発生した渦流が、排水栓４を一回転して流入口６１側へ再侵入することを防ぐ。渦流が一回転して流入口６１側へ侵入すると、流入口６１から流入するオーバーフロー流路５の排水と、一回転した渦流が衝突し、その箇所で排水の乱流が発生してしまう。従って、合流部６内で乱流などが発生することがなく、オーバーフロー装置の排水性能が向上した。
請求項２に記載の本発明は、オーバーフローエルボ５１の底面を、オーバーフローエルボ５１内周面からオーバーフローエルボ５１の排出口５４まで傾斜する、テーパ面５５により構成したことから、オーバーフローエルボ５１内で底面に衝突することなく、円滑にテーパ面５５に沿うように排出口５４から排水されるようになった。したがって、オーバーフローエルボ５１内で乱流が発生することがなく、オーバーフロー装置の排水性能が向上した。
請求項３に記載の本発明は、合流部６内で乱流などが発生することがなく、更にはオーバーフローエルボ５１内で乱流が発生することがないため、オーバーフロー装置の排水性能が格段に向上した。
請求項４に記載の本発明は、槽体１と一体的に構成したことから、洗面ボウル１の多様性に適合できるようになった。
請求項５に記載の本発明は、槽体１と別体のアダプター６としたことから、洗面ボウル１の多様性に適合できるようになった。
請求項６に記載の本発明は、排水栓４の排水窓４１を、平面視中心軸方向に向かって渦巻き状に傾斜面４３を構成したことから、合流部６内の渦流が、排水栓４外周を回転しつつ円滑に排水窓４１に構成された傾斜面４３により排水栓４内に流入することが出来る。従って、合流部６内で乱流などが発生することがなく、オーバーフロー装置の排水性能が向上した。
請求項７に記載の本発明は、前記排水栓４の排水窓４１を、平面視中心軸方向に平行に開口して構成したことから、合流部６内で付与された渦流が、排水栓４外周を回転しつつ円滑に平行に開口された排水窓４１に衝突することなく排水栓４内に流入することが出来る。従って、合流部６内で乱流などが発生することがなく、オーバーフロー装置の排水性能が向上した。